(57)【要約】  【課題】  お盆の際に先祖を迎え入れるために、家の門口に土又は粘土を固めて形成していた盛り土に代る、既製のオガラ等を飾るための棚の提供。  【解決手段】  オガラと造花を飾るための飾り棚であって、形状保持性を示す厚さを有する上面板と、上面板に接触してその下方に位置し、上面板を支持する側面板とを備え、上面板の水平方向外周部であって側面板に接触していない部分には、オガラを挿入することが可能であり且つ挿入されたオガラをほぼ直立状態に保持できるオガラ貫通孔を有し、且つ、上面板の水平方向内部には、造花の茎部を挿入することが可能であり且つ挿入された造花をほぼ直立状態に保持できる造花貫通孔を有する台座を備える飾り棚。【選択図】  図１-Ａ
2005103038.tif 000002
【特許請求の範囲】
【請求項１】
オガラと造花を飾るための飾り棚であって、形状保持性を示す厚さを有する上面板と、上面板に接触してその下方に位置し、上面板を支持する側面板とを備え、上面板の水平方向外周部であって側面板に接触していない部分には、オガラを挿入することが可能であり且つ挿入されたオガラをほぼ直立状態に保持できるオガラ貫通孔を有し、且つ、上面板の水平方向内部には、造花の茎部を挿入することが可能であり且つ挿入された造花をほぼ直立状態に保持できる造花貫通孔を有する台座を備えることを特徴とする飾り棚。
【請求項２】
台座が、その上面板の水平方向内部に、さらに、底面部、側面部及び側面部の上端外周に位置する鍔部を有する線香台を挿嵌することが可能な線香台貫通孔を有するものであり、線香台貫通孔には線香台が挿嵌されている、請求項１に記載の飾り棚。
【請求項３】
台座が、その上面板の水平方向内部は、さらに、底面部、側面部及び側面部の上端外周に位置する鍔部を有する円筒状ロウソク立てを挿嵌することが可能なロウソク立て貫通孔を有するものであり、ロウソク立て貫通孔にはロウソク立てが挿嵌されている、請求項１又は２に記載の飾り棚。
【請求項４】
台座の上面板の水平方向内部において、底面部と底面部の中央部に立設されたロウソク差込み部とを有するロウソク立ての底面部裏側が、上面板の上面上に貼付されている、請求項１又は２に記載の飾り棚。
【請求項５】
オガラと造花を飾るための飾り棚であって、水平な底面部を有する中実の台座を備え、台座の水平方向外周部には、台座の上方に向って開口するオガラを挿入することが可能であり且つ挿入されたオガラをほぼ直立状態に保持できるオガラ穴を有し、且つ、台座の水平方向内部には、台座の上方に向って開口する造花の茎部を挿入することが可能であり且つ挿入された造花をほぼ直立状態に保持できる造花穴を有することを特徴とする飾り棚。
【請求項６】
台座が、その水平方向内部に、さらに、台座の上方に向って開口する線香台穴を有する、請求項５に記載の飾り棚。
【請求項７】
台座が、その水平方向内部に、さらに、台座の上方に向って開口する円筒状のロウソク立て穴を有する、請求項５又は６に記載の飾り棚。
【請求項８】
台座の水平方向内部において、底面部と底面部の中央部に立設されたロウソク差込み部とを有するロウソク立ての底面部裏側が台座上に貼付されている、請求項５又は６に記載の飾り棚。
【請求項９】
オガラと花を飾るための飾り棚であって、形状保持性を示す厚さを有する上面板と、上面板に接触してその下方に位置し、上面板を支持する側面板とを備え、上面板の水平方向外周部であって側面板に接触していない部分には、オガラを挿入することが可能であり且つ挿入されたオガラをほぼ直立状態に保持できるオガラ貫通孔を有し、且つ、上面板の水平方向内部には、底面部及び側面部を有する花入れを挿嵌することが可能な花入れ貫通孔を有する台座と、花入れ貫通孔に挿嵌されている花入れを備えることを特徴とする飾り棚。
【請求項１０】
台座が、その上面板の水平方向内部に、さらに、底面部、側面部及び側面部の上端外周に位置する鍔部を有する線香台を挿嵌することが可能な線香台貫通孔を有するものであり、線香台貫通孔には線香台が挿嵌されている、請求項９に記載の飾り棚。
【請求項１１】
台座が、その上面板の水平方向内部は、さらに、底面部、側面部及び側面部の上端外周に位置する鍔部を有する円筒状ロウソク立てを挿嵌することが可能なロウソク立て貫通孔を有するものであり、ロウソク立て貫通孔にはロウソク立てが挿嵌されている、請求項９又は１０に記載の飾り棚。
【請求項１２】
台座の上面板の水平方向内部において、底面部と底面部の中央部に立設されたロウソク差込み部材とを有するロウソク立ての底面部裏側が、上面板の上面上に貼付されている、請求項９又は１０に記載の飾り棚。
【請求項１３】
オガラと花を飾るための飾り棚であって、水平な底面部を有する中実の台座を備え、この台座は、その水平方向外周部に、台座の上方に向って開口するオガラを挿入することが可能であり且つ挿入されたオガラをほぼ直立状態に保持できるオガラ穴を有し、且つ、その水平方向内部に、台座の上方に向って開口する、底面部及び側面部を有する花入れを挿嵌することが可能な花入れ挿入穴を有するものであり、さらに、花入れ挿入穴に挿嵌されている花入れを備えることを特徴とする飾り棚。
【請求項１４】
台座が、その水平方向内部に、さらに、台座の上方に向って開口する、底面部及び側面部を有する線香台を挿嵌することが可能な線香台挿入穴を有し、且つ、線香台挿入穴には線香台が挿嵌されている、請求項１３に記載の飾り棚。
【請求項１５】
台座が、その水平方向内部に、さらに、台座の上方に向って開口する、底面部及び側面部を有する円筒状ロウソク立てを挿嵌することが可能なロウソク立て挿入穴を有し、且つ、ロウソク立て挿入穴にはロウソク立てが挿嵌されている、請求項９又は１０に記載の飾り棚。
【請求項１６】
台座の水平方向内部において、底面部と底面部の中央部に立設されたロウソク差込み部とを有するロウソク立ての底面部裏側が台座上に貼付されている、請求項１３又は１４に記載の飾り棚。
【請求項１７】
オガラと造花を飾るための折りたたみ式台座であって、形状保持性を示す厚さを有し、多角形状部分と多角形状部分の各辺から連続して多角形状部分の外方に延び且つ多角形状部分の各辺に平行な末端を有する支持部分とを備え、多角形状部分の外周部には、オガラを挿入することが可能であり且つ挿入されたオガラをほぼ直立状態に保持できるオガラ貫通孔を有し、且つ、多角形状部分の内部には、造花の茎部を挿入することが可能であり且つ挿入された造花をほぼ直立状態に保持できる造花貫通孔を有することを特徴とする折りたたみ式台座。
【請求項１８】
オガラと花を飾るための折りたたみ式台座であって、形状保持性を示す厚さを有し、多角形状部分と多角形状部分の各辺から連続して多角形状部分の外方に延び且つ多角形状部分の各辺に平行な末端を有する支持部分とを備え、多角形状部分の外周部には、オガラを挿入することが可能であり且つ挿入されたオガラをほぼ直立状態に保持できるオガラ貫通孔を有し、且つ、多角形状部分の内部には、底面部及び側面部を有する花入れを挿嵌することが可能な花入れ貫通孔を有することを特徴とする折りたたみ式台座。
【請求項１９】
オガラと造花を飾るための組立式台座であって、形状保持性を示す厚さを有する上面板部材及び側面板部材を備え、上面板部材の外周部には、オガラを挿入することが可能であり且つ挿入されたオガラをほぼ直立状態に保持できるオガラ貫通孔を有し、且つ、上面板部材の内部には、造花の茎部を挿入することが可能であり且つ挿入された造花をほぼ直立状態に保持できる造花貫通孔を有することを特徴とする組立式台座。
【請求項２０】
オガラと花を飾るための組立式台座であって、形状保持性を示す厚さを有する上面板部材及び側面板部材を備え、上面板部材の外周部には、オガラを挿入することが可能であり且つ挿入されたオガラをほぼ直立状態に保持できるオガラ貫通孔を有し、且つ、上面板部材の内部には、底面部及び側面部を有する花入れを挿嵌することが可能な花入れ貫通孔を有することを特徴とする組立式台座。
【発明の詳細な説明】
【技術分野】
【０００１】
本発明は、お盆の際に先祖（精霊）をお迎えするために屋外に設置する飾り棚、折りたたむことによって飾り棚の台座となる折りたたみ式台座及び組み立てることによって飾り棚の台座となる組立式台座に関する。
【背景技術】
【０００２】
お盆（正式名称は「盂蘭盆会」又は「盂蘭盆軽」）は、我が国で広く行われている先祖を供養する行事である。お盆の行事は、７月１３日から１６日又は月遅れの８月１３日から１６日に行われている。行事の内容は、仏教の宗派により、また、地域によって多少異なるが、一般的には、１３日の夕方には、先祖を迎え入れるための「迎え火」が、また、１６日の夕方には、先祖をお送りするための「送り火」が焚かれる。屋内に迎え入れられた先祖は、精霊棚（盆棚、盆飾り棚又は先祖棚と呼称される場合もある）に祀られる。
【０００３】
精霊棚は、室内に設置され、この上には、季節の野菜や果物といった供え物、花、ロウソク、線香立て等が飾られる。精霊棚の一例として、特許文献１に開示された階段状の後飾り兼用盆飾り棚が知られている。
【０００４】
また、特許文献２には、棚板部と４本の脚部からなる組み立て盆棚が開示されているが、これは、墓前に供えるものである。従って、特許文献２においては、精霊棚の別名として「盆棚」という名称を用いているわけではない。
【０００５】
ところで、お盆の際には、家の門口に、土又は粘土をその上面の形状が正方形となるように盛り固め、その盛り土の一ヶ所に階段を形成し、また、その盛り土の周囲にはオガラを刺すとともに、ハスの花やキュウリで作った馬、ナスで作った牛を供えて先祖をお迎えする風習がある。しかし、このような盛り土の形成は、材料の不足や住宅事情もあり、近年は行われることが少なくなってきている。また、この土又は粘土の盛り土に相当する又はこれに代る製品は知られていない。
【０００６】
特許文献３には、新盆の法要の際に使用されるお供物飾りセットが開示されているが、これは、室内において祭壇の脇に置かれて、お供物の代わりに使用されるディスプレーである。
【０００７】
特許文献４には、儀式用の祭器が開示されているが、これは、台座と、台座上に配置された仏像等の尊体及び燭台その他の祭壇具足類からなるものである。この祭器においては、尊体及び祭壇具足類は、台座上に単に戴置されているにすぎない。
【０００８】
なお、お盆の行事に用いられるものではないが、軽量で組立てや保存、廃棄が容易な祭壇の例として、特許文献５には祭壇と写真立てとから構成される厚紙製後飾り棚が、特許文献６にはハニカム構造の紙製段ボールからなる階段状の組立式置き台枠が、また、特許文献７には段ボール製の階段状簡易組立式祭壇が開示されている。
【０００９】
さらに、特許文献８には、祭壇にはロウソクや花が飾られることを考慮した、防炎処理及び防水加工が施されてなる段ボール紙製の祭壇が開示されている。
【００１０】
【特許文献１】特開２００３−１１６７０９号公報
【特許文献２】実開昭６３−３３８８２号公報
【特許文献３】特開２０００−３１６７０７号公報
【特許文献４】登録実用新案登録第３０５６２１８号公報
【特許文献５】特開平７−３１３３３１号公報
【特許文献６】特開平１０−４３０３９号公報
【特許文献７】登録実用新案登録第３０２２６９５号公報
【特許文献８】特開２０００−９３２８９号公報
【発明の開示】
【発明が解決しようとする課題】
【００１１】
近年においては、お盆の際に先祖を迎え入れるために、家の門口に土又は粘土を固めて盛り土を形成し、その盛り土にオガラ等を供えることは、困難となってきている。特に都会においては、土や粘土を入手すること自体困難であるし、また、集合住宅においては、玄関の外側に土や粘土を盛ることはできないからである。
【００１２】
従って、従来の盛り土に代る、既製のオガラ等を飾るための棚が求められている。
【課題を解決するための手段】
【００１３】
本発明者らは、上記課題を解決すべく鋭意努力し、その結果として本発明をなした。
【００１４】
即ち、第一の発明は、オガラと造花を飾るための飾り棚であって、形状保持性を示す厚さを有する上面板と、上面板に接触してその下方に位置し、上面板を支持する側面板とを備え、上面板の水平方向外周部であって側面板に接触していない部分には、オガラを挿入することが可能であり且つ挿入されたオガラをほぼ直立状態に保持できるオガラ貫通孔を有し、且つ、上面板の水平方向内部には、造花の茎部を挿入することが可能であり且つ挿入された造花をほぼ直立状態に保持できる造花貫通孔を有する台座を備えることを特徴とする飾り棚に関する。
【００１５】
また、第二の発明は、オガラと造花を飾るための飾り棚であって、水平な底面部を有する中実の台座を備え、台座の水平方向外周部には、台座の上方に向って開口するオガラを挿入することが可能であり且つ挿入されたオガラをほぼ直立状態に保持できるオガラ穴を有し、且つ、台座の水平方向内部には、台座の上方に向って開口する造花の茎部を挿入することが可能であり且つ挿入された造花をほぼ直立状態に保持できる造花穴を有することを特徴とする飾り棚に関する。
【００１６】
さらに、第三の発明は、オガラと花を飾るための飾り棚であって、形状保持性を示す厚さを有する上面板と、上面板に接触してその下方に位置し、上面板を支持する側面板とを備え、上面板の水平方向外周部であって側面板に接触していない部分には、オガラを挿入することが可能であり且つ挿入されたオガラをほぼ直立状態に保持できるオガラ貫通孔を有し、且つ、上面板の水平方向内部には、底面部及び側面部を有する花入れを挿嵌することが可能な花入れ貫通孔を有する台座と、花入れ貫通孔に挿嵌されている花入れを備えることを特徴とする飾り棚に関する。
【００１７】
加えて、第四の発明は、オガラと花を飾るための飾り棚であって、水平な底面部を有する中実の台座を備え、この台座は、その水平方向外周部に、台座の上方に向って開口するオガラを挿入することが可能であり且つ挿入されたオガラをほぼ直立状態に保持できるオガラ穴を有し、且つ、その水平方向内部に、台座の上方に向って開口する、底面部及び側面部を有する花入れを挿嵌することが可能な花入れ挿入穴を有するものであり、さらに、花入れ挿入穴に挿嵌されている花入れを備えることを特徴とする飾り棚に関する。
【００１８】
第五の発明は、オガラと造花を飾るための折りたたみ式台座であって、形状保持性を示す厚さを有し、多角形状部分と多角形状部分の各辺から連続して多角形状部分の外方に延び且つ多角形状部分の各辺に平行な末端を有する支持部分とを備え、多角形状部分の外周部には、オガラを挿入することが可能であり且つ挿入されたオガラをほぼ直立状態に保持できるオガラ貫通孔を有し、且つ、多角形状部分の内部には、造花の茎部を挿入することが可能であり且つ挿入された造花をほぼ直立状態に保持できる造花貫通孔を有することを特徴とする折りたたみ式台座に関する。
【００１９】
第六の発明は、オガラと花を飾るための折りたたみ式台座であって、形状保持性を示す厚さを有し、多角形状部分と多角形状部分の各辺から連続して多角形状部分の外方に延び且つ多角形状部分の各辺に平行な末端を有する支持部分とを備え、多角形状部分の外周部には、オガラを挿入することが可能であり且つ挿入されたオガラをほぼ直立状態に保持できるオガラ貫通孔を有し、且つ、多角形状部分の内部には、底面部及び側面部を有する花入れを挿嵌することが可能な花入れ貫通孔を有することを特徴とする折りたたみ式台座に関する。
【００２０】
第七の発明は、オガラと造花を飾るための組立式台座であって、形状保持性を示す厚さを有する上面板部材及び側面板部材を備え、上面板部材の外周部には、オガラを挿入することが可能であり且つ挿入されたオガラをほぼ直立状態に保持できるオガラ貫通孔を有し、且つ、上面板部材の内部には、造花の茎部を挿入することが可能であり且つ挿入された造花をほぼ直立状態に保持できる造花貫通孔を有することを特徴とする組立式台座に関する。
【００２１】
第八の発明は、オガラと花を飾るための組立式台座であって、形状保持性を示す厚さを有する上面板部材及び側面板部材を備え、上面板部材の外周部には、オガラを挿入することが可能であり且つ挿入されたオガラをほぼ直立状態に保持できるオガラ貫通孔を有し、且つ、上面板部材の内部には、底面部及び側面部を有する花入れを挿嵌することが可能な花入れ貫通孔を有することを特徴とする組立式台座に関する。
【発明の効果】
【００２２】
本発明により、お盆の際に、家の門口に土や粘土で盛り土を形成する必要がなくなる。
【００２３】
本発明の飾り棚は、集合住宅においても使用することができる。
【００２４】
本発明の飾り棚は、複数回の使用が可能である。
【００２５】
本発明の飾り棚は、それが紙、木等の可燃性材料製のものである場合には、一回の使用の後に焼却処分をすることも可能である。
【００２６】
本発明の折りたたみ式台座及び組立式台座は、誰でも簡単に組み立てることができ、且つ、嵩張らないため、輸送及び保管の際に大きな容積を占めない。
【発明を実施するための最良の形態】
【００２７】
はじめに、本明細書及び特許請求の範囲において使用される用語について説明する。
【００２８】
「オガラ」とは、麻の茎の皮を剥いだものの乾燥品である。「麻がら」とも呼称される。
【００２９】
「造花」は、生花ではない花を指す。その材質はいずれでもよいが、例えば、プラスチックや紙（茎の芯材は金属等）である。一方、「花」は、造花と生花のいずれをも意味する。
【００３０】
「花入れ」とは、造花又は生花を挿すための道具である。生花用花入れの場合には、少なくともその内側が耐水材料製であることが必要である。
【００３１】
「貫通孔」とは、ある厚みを有する材料を突き抜けている状態を指し、一方、「穴」とは、ある厚みを有する材料に形成された底を有する凹部を指す。
【００３２】
「線香台」とは、金属やホウロウ等の不燃材料製で、凹部を有し、その凹部に線香を立てるための軽石灰や砂を入れて用いるものを指す。
【００３３】
「円筒状ロウソク立て」とは、金属等の不燃材料製で、中空の円柱形状であり、その中空部の水平方向断面の形状及び大きさは、このロウソク立てに挿入されるロウソクの水平方向断面の形状及び大きさと略同一であるものを指す。
【００３４】
「底面部と底面部の中央部に立設されたロウソク差込み部とを有するロウソク立て」において、「ロウソク差込み部」とは、ロウソクを立てる際にロウソクの底に差し込まれる部材である。その形状は、例えば、先端が尖った針状である。
【００３５】
「形状保持性を示す」とは、その物自体がある程度の硬さを有し、その物自体の形状を保持できる性質を有することをいう。
【００３６】
以下に、図面を参照しながら、本発明の好適実施例について具体的に説明する。
【００３７】
図１-Ａは、第一の発明の一例を示す平面図である。また、図１-Ｂは、図１-Ａのｘ−ｘ線における断面図である。図１-Ｃは、飾り棚１１０に付属品を飾り付けた状態を示す正面図である。
【００３８】
飾り棚１１０は、防水処理がなされた肉厚段ボール製の中空で直方体形状の台座１からなる。この台座１は、平面形状が長方形の上面板１ａと、その上面板１ａの長方形の四辺部それぞれに接触して上面板１ａに対して９０°の位置に形成された４枚の側面板１ｂからなる。４枚の側面板１ｂは、上面板１ａの下方に位置して上面板１ａを支持している。
【００３９】
上面板１ａには、その水平方向外周部にオガラ１３を挿入するためのオガラ貫通孔３が、また、その水平方向内部には、造花１５を挿入するための造花貫通孔５が形成されている。
【００４０】
オガラ貫通孔３の大きさ及び形状は、オガラ１３を挿入することが可能であり、且つ、この孔３に挿入されたオガラ１３をほぼ直立状態に保持できるものであれば、特に限定されない。オガラ貫通孔３の水平方向断面形状及び大きさの例として、オガラ１３の水平方向断面形状及び大きさと略同一であるものが挙げられる。
【００４１】
造花貫通孔５の大きさ及び形状は、ハスの造花１５の茎部を挿入することが可能であり、且つ、この孔５に挿入された造花１５をほぼ直立状態に保持できるものであれば、特に限定されない。造花貫通孔５の水平方向断面形状及び大きさの例として、造花１５の茎部の水平方向断面形状及び大きさと略同一であるものが挙げられる。
【００４２】
飾り棚１１０には、各種付属品を飾り付ける。例えば、オガラ貫通孔３に、オガラ１３又はその模造品を、その底部が飾り棚１１０の戴置場所の地面に接触するように挿入し、造花貫通孔５には、ハスの造花１５の茎部が飾り棚１１０の戴置場所の地面に接触するように、造花１５を挿入する。また、上面板１ａには、その凹部に軽石灰が充填された線香台１８を戴置し、軽石灰に線香１６を立てる。飾り棚１１０の近傍には、ロウソク立て３３を２個戴置し、これらのロウソク立て３３には、ロウソク３４を刺して火を灯す。
【００４３】
図２-Ａは、第一の発明の他の一例を示す平面図である。また、図２-Ｂは、図２-Ａのｙ−ｙ線における断面図である。図２-Ｃは、飾り棚１２０に付属品を飾り付けた状態を示す正面図である。
【００４４】
飾り棚１２０は、疎水性プラスチック製の、中空で直方体形状の台座１を有する。この台座１は、平面形状が長方形の上面板１ａと、その上面板１ａの長方形の四辺部それぞれに接触して上面板１ａに対して９０°の位置に形成された４枚の側面板１ｂと、４枚の側面板１ｂの中の相対する２枚のそれぞれに、側面板１ｂの上面板１ａに接触する辺と平行な辺の部分に接触して側面板１ｂに対して９０°、上面板１ａに対しては１８０°の位置に形成された２枚の底面板１ｃからなる。４枚の側面板１ｂは、上面板１ａの下方に位置して上面板１ａを支持している。
【００４５】
上面板１ａには、その水平方向外周部にオガラ１３を挿入するためのオガラ貫通孔３が、また、その水平方向内部には、造花１５を挿入するための造花貫通孔５が形成されている。さらに、造花貫通孔５の近傍（図２-Ａにおいて右側）には、線香台貫通孔７が形成されている。上面板１ａの上面であって造花貫通孔５の近傍（図２-Ａにおいて左側）には、先祖がお座りになられる座敷用敷物柄３７が、印刷によって形成されている。
【００４６】
オガラ貫通孔３及び造花貫通孔５に関しては、先に説明したとおりである。
【００４７】
線香台貫通孔７には、線香台１７が挿嵌される。この線香台１７は、底面部１７ａ、側面部１７ｂ及び側面部１７ｂの上端外周に位置する鍔部１７ｃを有する直方体形状のものである。線香台貫通孔７の水平方向断面における形状及び大きさは、使用する線香台１７の側面部１７ｂ（凹部外側）の水平方向断面における形状及び大きさと略同一である。線香台貫通孔７に線香台１７が挿嵌されると、その鍔部１７ｃは、上面板１ａに接触して上面板１ａの上面上に位置することになる。
【００４８】
飾り棚１２０には、各種付属品を飾り付ける。例えば、オガラ貫通孔３に、オガラ１３の底部が飾り棚１２０の戴置場所の地面又は台座１の底面板１ｃの上面に接触するように、オガラ１３を挿入し、造花貫通孔５には、ハスの造花１５の茎部が飾り棚１２０の戴置場所の地面に接触するように、造花１５を挿入する。また、線香台貫通孔７には、線香台１７を挿嵌し、その凹部に軽石灰２７を充填し、軽石灰に線香を立てる。図２-Ｃには示されていないが、飾り棚１２０の近傍にロウソク立てを戴置してもよい。
【００４９】
図３-Ａは、第一の発明のさらに他の一例を示す平面図である。また、図３-Ｂは、図３-Ａのｚ−ｚ線における断面図である。
【００５０】
飾り棚１３０は、木製の、中空の台座１を有する。この台座１は、平面形状が長方形の上面板１ａと、その上面板１ａの下面に接触して上面板１ａの外周よりはやや内側に上面板１ａに対して９０°の位置に形成された４枚の側面板１ｂからなる。４枚の側面板１ｂは、上面板１ａの下方に位置して上面板１ａを支持している。
【００５１】
上面板１ａには、その水平方向外周部にオガラ１３を挿入するためのオガラ貫通孔３が、また、その水平方向内部には、造花１５を挿入するための造花貫通孔５が形成されている。この例では、オガラ貫通孔３は、上面板１ａの水平方向において、側面板１ｂのある位置よりも外側に形成されている。
【００５２】
さらに、上面板１ａには、その水平方向内部に、２つのロウソク立て貫通孔２１が形成されている。
【００５３】
オガラ貫通孔３及び造花貫通孔５に関しては、先に説明したとおりである。
【００５４】
ロウソク立て貫通孔２１には、円筒状ロウソク立て３１が挿嵌される。このロウソク立て３１は、底面部３１ａ、側面部３１ｂ及び側面部３１ｂの上端外周に位置する鍔部３１ｃを有する。ロウソク立て３１の内部空間の水平方向断面における形状及び大きさは、使用するロウソクの水平方向断面における形状及び大きさと略同一である。また、ロウソク立て貫通孔２１の水平方向断面における形状及び大きさは、使用するロウソク立て３１の側面部１７ｂ（円筒の外側）の水平方向断面における形状及び大きさと略同一である。ロウソク立て貫通孔２１にロウソク立て３１が挿嵌されると、その鍔部３１ｃは、上面板１ａに接触して上面板１ａの上面上に位置することになる。
【００５５】
ロウソク立ては、その内部にロウソクが挿入されるものに限られない。例えば、図４及び図５-Ｂに示すような、底面部３３ａと底面部３３ａの中央部に立設されたロウソク差込み部３３ｂとを有するものであってもよい。このようなロウソク立て３３は、台座１の上面板１ａの上面に、接着剤や接着テープによって貼り付けて使用される。
【００５６】
なお、図５-Ｂに示すロウソク立て３３は、例えば鉄や鋼板等の金属製の円板であって、その中央部に三角形の切込みを入れたもの（図５-Ａ参照）を、使用時に切込みで囲まれている部分（リップル）を立てて使用するものである。
【００５７】
上記第一の発明において、上面板の形状は、特に限定されない。その平面形状は、円形、楕円形、三角形、五角形、六角形等であってもよい。
【００５８】
また、側面板の形状も、台座を地面に置くことができる形状である限り、特に限定されない。例えば、切欠き部が形成されており、側面板の下面の一部のみが地面に接触するような形状であってもよい。
【００５９】
側面板の位置は、上面板に接触して上面板を支持できる限り、特に限定されない。図１-Ａや図２-Ａに示した例のように、上面板１ａの外周端部にあってもよいし、図３-Ａに示した例のように、上面板１ａの外周端部よりは内側にあってもよい。
【００６０】
また、複数の側面板に囲まれて形成される空間の水平断面形状は、上面板の水平断面形状と同じでなくてもよい。例えば、平面形状が円形の上面板に、４枚の長方形の側面板を、それらの側面板に囲まれて形成される空間の水平断面形状が正方形又は長方形となるように取り付けてもよい。
【００６１】
側面板の数も限定されない。例えば、平面形状が正方形の上面板に、３枚の長方形の側面板を、それらの側面板に囲まれて形成される空間の水平断面形状が正三角形となるように取り付けてもよい。
【００６２】
第一の発明の飾り棚において、台座の材料は特に限定されないが、耐水性材料、加工（穿孔等）をし易い材料が好ましい。例えば、防水処理された段ボール、疎水性合成樹脂（プラスチック）、木などが挙げられる。
【００６３】
台座の上面板の上面には、座敷用敷物柄が印刷されていてもよい。あるいは、造花貫通孔５の横に、座敷用敷物を敷いてもよい。
【００６４】
また、先祖が階段を上って線香台に到達するように、線香台貫通孔の前（図１-Ｂにおいて線香台貫通孔７の右）であって、上面板の上面及びそれに連続する側面板の外面に、階段状の図柄が印刷されているか又は階段状部分が形成されていてもよい。
【００６５】
第一の発明において使用される線香台の形状は、特に限定されない。
【００６６】
図６-Ａは、第二の発明の一例を示す平面図である。また、図６-Ｂは、図６-Ａのｘ−ｘ線における断面図である。図６-Ｃは、飾り棚２００に付属品を飾り付けた状態を示す正面図である
飾り棚２００は、水平な底面部２ｃを有する中実の軽石製台座２からなる。台座２の上面部２ａ側には、その水平方向外周部に、台座２の上方に向って開口するオガラ１３を挿入するためのオガラ穴４があり、また、上面部２ａ側であってその水平方向の内部には、造花１５を挿入するための造花穴６がある。
【００６７】
さらに、第二の発明の必須構成要件ではないが、台座２の上面部２ａ側であってその水平方向の内部には、台座２の上方に向って開口する、軽石灰を入れる線香台穴８及びロウソクを挿入するためのロウソク立て穴２２がある。
【００６８】
台座２の側面部２ｂは、特に加工はなされていない。
【００６９】
オガラ穴４の大きさ及び形状は、オガラ１３を挿入することが可能であり、且つ、この穴４に挿入されたオガラ１３をほぼ直立状態に保持できるものであれば、特に限定されない。オガラ穴４の水平方向断面形状及び大きさの例として、オガラ１３の水平方向断面形状及び大きさと略同一であるものが挙げられる。
【００７０】
造花穴６の大きさ及び形状は、ハスの造花１５の茎部を挿入することが可能であり、且つ、この穴６に挿入された造花１５をほぼ直立状態に保持できるものであれば、特に限定されない。造花穴６の水平方向断面形状及び大きさの例として、造花１５の茎部の水平方向断面形状及び大きさと略同一であるものが挙げられる。
【００７１】
図６-Ａ及び図６-Ｂに示された線香台穴８は、直方体形状であるが、線香台穴８の大きさ及び形状は、この穴８の中に軽石灰等を入れることができ、且つ、その軽石灰等に線香を立てることができる限り、特に限定されない。例えば、立方体形状、円柱状、水平方向断面形状が楕円の柱状等であってもよい。
【００７２】
ロウソク立て穴２２の大きさ及び形状は、ロウソク３４を挿入することが可能であり、且つ、この穴２２に挿入されたロウソク３４をほぼ直立状態に保持できるものであれば、特に限定されない。ロウソク立て穴２２の水平方向断面形状及び大きさの例として、小型ロウソク３４の水平方向断面形状及び大きさと略同一であるものが挙げられる。
【００７３】
第二の発明の飾り棚において、台座がロウソク立て穴を有さない場合には、台座の上面部に、図４や図５-Ｂに示すロウソク立てを貼付してもよい。
【００７４】
なお、台座の上面部は、水平である必要はない。
【００７５】
また、台座の裏側（底面部を含む面）は、その全体が水平でなくてもよい。台座を地面等に戴置できるように、例えば台座の裏側の外周部のみが水平な底面部を構成し、台座の裏側の内部は、地面に接触しない（凹部となっている）構成であってもよい。
【００７６】
飾り棚２００には、各種付属品を飾り付ける。例えば、オガラ穴４に、オガラ１３の底部がオガラ穴４の底部にほぼ接触するように、オガラ１３を挿入し、造花穴６には、ハスの造花１５の茎部が造花穴６の底部にほぼ接触するように、造花１５を挿入する。また、線香台穴８には、軽石灰を充填し、軽石灰に線香１６を立てる。ロウソク立て穴２２には、ロウソク３４を挿入して火を灯す。台座２の上面部２ａ上には、座敷用敷物３８を敷く。
【００７７】
第二の発明の飾り棚において、台座の材質は、特に限定されないが、軽石の他、疎水性合成樹脂、発泡合成樹脂（発泡スチロール等）、御影石、木等を挙げることができる。なお、台座が線香台穴８及び／又はロウソク立て穴２２を有するものである場合には、台座は不燃性材料製とする。
【００７８】
図７-Ａは、第三の発明の一例を示す平面図である。また、図７-Ｂは、図７-Ａのｙ−ｙ線における断面図である。
【００７９】
飾り棚３００は、プラスチック製の中空で側面形状が台形の台座１を有する。この台座１は、平面形状が長方形の上面板１ａと、その上面板１ａの長方形の四辺部それぞれに接触して上面板１ａに対して約１２０°の位置に形成された４枚の側面板１ｂからなる。４枚の側面板１ｂは、上面板１ａの下方に位置して上面板１ａを支持している。
【００８０】
上面板１ａには、その水平方向外周部にオガラ１３を挿入するためのオガラ貫通孔３が、また、その水平方向内部には、花入れ４５を挿入するための花入れ貫通孔３５が形成されている。
【００８１】
さらに、第三の発明の必須構成要件ではないが、花入れ貫通孔３５の近傍（図７-Ａにおいて右側）には、線香台貫通孔７が形成されている。上面板１ａの上面であって花入れ貫通孔３５の近傍（図７-Ａにおいて左側）には、先祖がお座りになられる座敷用敷物柄３７が、印刷によって形成されている。
【００８２】
線香台貫通孔７の斜め前方には、上面板１ａの上面に、２つのロウソク立て３３が貼付されており、また、２つのロウソク立て３３の間からそれに続く側面部１ｂにかけては階段状の図柄３９が印刷されている。
【００８３】
花入れ貫通孔３５には、その底面部４５ａ及び側面部４５ｂによって円筒形に形作られた花入れ４５が挿嵌されている。また、線香台貫通孔７には、底面部１７ａ、側面部１７ｂ及び側面部１７ｂの上端外周に位置する鍔部１７ｃを有する、長方形の短辺それぞれに半円をつけた平面形状の線香台１７が挿嵌されている。
【００８４】
オガラ貫通孔３及び線香台貫通孔７に関しては、第一の発明についての記載個所における説明と同様である。また、ロウソク立て３３についても、先に説明したとおりである。
【００８５】
花入れ貫通孔３５の水平断面における形状及び大きさは、花入れ４５の、花入れ貫通孔３５に挿入される部分の水平断面における形状及び大きさと略同一である。これにより、花入れ貫通孔３５に花入れ４５が挿嵌され得る。
【００８６】
花入れには、造花を挿しても生花を挿してもよい。生花を挿す場合には、花入れに水が注入される。生花を挿して使用される花入れの場合には、花入れの材質として、金属や陶磁器等の水が漏らないものが選択される。造花のみを飾る場合には、形状を保持できる材料でありさえすれば、その材質は限定されない。
【００８７】
花入れは、底面部と側面部とを有し、これら底面部と側面部によって囲まれて形成された、花を挿したり水を入れるための凹部があればよい。従って、花入れの水平断面の形状及び大きさは、特に限定されない。例えば、花入れを台座の裏側から上面板の花入れ貫通孔に挿入する場合には、花入れの花入れ貫通孔に挿入する部分よりも下方の部分の形状及び大きさは、花入れ貫通孔の形状及び大きさによって制限されない。
【００８８】
なお、図７-Ｂに示された花入れ４５は、台座１の底面と同一の位置にその底面を有するものであるが、花入れの高さは、このような態様に限定されない。線香台１７のように、花入れの底部が台座の底面よりも上方にある態様であってもよい。その場合には、花入れは、その側面部の上端外周に鍔部を有するものであるのがよい。
【００８９】
また、花入れは、その上端部が台座の上面板の上面よりも上方に位置するような大きさを有するものであってもよい。
【００９０】
上記第三の発明において、上面板の形状、側面板の形状、側面板の位置、側面板の数は、特に限定されない。それらの例は、第一の発明についてのこれらに関する説明の個所に記載したものと同様である。
【００９１】
第三の発明の飾り棚において、台座の材料は特に限定されないが、耐水性材料、加工（穿孔等）をし易い材料が好ましい。例えば、防水処理された段ボール、疎水性合成樹脂（プラスチック）、木などが挙げられる。
【００９２】
図８-Ａは、第四の発明の一例を示す平面図である。また、図８-Ｂは、図８-Ａのｚ−ｚ線における断面図である。
【００９３】
飾り棚４００は、水平な底面部２ｃを有する中実の発泡スチロール製の楕円形柱の台座２を有する。台座２の上面部２ａ側には、その水平方向外周部に、台座２の上方に向って開口するオガラ１３を挿入するためのオガラ穴４があり、また、上面部２ａ側であってその水平方向の内部には、花入れ４５を挿入するための花入れ挿入穴３６がある。花入れ挿入穴３６には、その底面部４５ａ及び側面部４５ｂによって逆円錐台形状に形作られた花入れ４５が挿嵌されている。
【００９４】
さらに、第四の発明の必須構成要件ではないが、台座２の上面部２ａ側であってその水平方向の内部には、台座２の上方に向って開口する線香台１９を挿入するための線香台挿入穴９がある。線香台挿入穴９には、底面部１９ａ及び側面部１９ｂを有する、換言すれば、軽石灰等を入れるための凹部を有する、円筒形の線香台１９が挿嵌されている。
【００９５】
台座２の側面部２ｂは、特に加工はなされていない。
【００９６】
台座の上面部及び裏側（底面部を含む面）については、第二の発明についての記載個所において説明したとおりである。
【００９７】
台座には、さらに、底面部及び側面部を有する円筒状のロウソク立てが挿嵌されるロウソク立て挿入穴が形成され、その穴にロウソク立てが挿嵌されていてもよい。
【００９８】
あるいは、底面部と底面部の中央部に立設されたロウソク差込み部とを有するロウソク立ての底面部裏側が、台座の上面上に貼付されていてもよい。
【００９９】
オガラ穴４については、第二の発明についての記載個所において説明したとおりである。
【０１００】
花入れ挿入穴３６の水平断面における形状及び大きさは、花入れ４５の、花入れ挿入穴３６に挿入される部分の水平断面における形状及び大きさと略同一である。これにより、花入れ挿入穴３６に花入れ４５が挿嵌され得る。
【０１０１】
花入れには、造花を挿しても生花を挿してもよい。生花を挿す場合には、花入れに水が注入される。生花を挿して使用される花入れの場合には、花入れの材質として、金属や陶磁器等の水が漏らないものが選択される。造花のみを飾る場合には、その材質は限定されない。
【０１０２】
花入れは、底面部と側面部とを有し、これら底面部と側面部によって囲まれて形成された、花を挿したり水を入れるための凹部があればよい。従って、花入れの水平断面の形状及び大きさは、特に限定されない。しかし、花入れは、通常は台座の上面側から花入れ挿入穴に挿入されるので、挿入可能な形状に限定される。なお、花入れが変形可能な材質で形成される場合には、花入れの形状として、従って花入れ挿入穴の形状として、バラエティーに富んだ多種多様なものが選択され得る。
【０１０３】
また、花入れは、その上端部が台座の上面板の上面よりも上方に位置するような大きさを有するものであってもよい。
【０１０４】
線香台挿入穴９の水平断面における形状及び大きさは、線香台１９の、線香台挿入穴９に挿入される部分の水平断面における形状及び大きさと略同一である。これにより、線香台挿入穴９に線香台１９が挿嵌され得る。
【０１０５】
線香台、従って線香台挿入穴の形状は、特に限定されないが、例えば、箱型（直方体）、水平方向断面形状が楕円の柱状等が挙げられる。なお、線香台は、その側面部の上端外周に位置する鍔部を有するものであってもよい。また、鍔部の有無に関わりなく、線香台は、その上端部が台座の上面板の上面よりも上方に位置するような大きさを有するものであってもよい。
【０１０６】
円筒状ロウソク立て、底面部と底面部の中央部に立設されたロウソク差込み部とを有するロウソク立てについては、先に説明したとおりである。ロウソク立て穴の形状及び大きさは、円筒状ロウソク立ての形状及び大きさと略同一である。
【０１０７】
第四の発明の飾り棚において、台座の材質は、特に限定されないが、軽石の他、疎水性合成樹脂、発泡合成樹脂（発泡スチロール等）、御影石、木等を挙げることができる。
【０１０８】
図９は、第五の発明の一例を示す平面図である。
【０１０９】
折りたたみ式台座５００は、防水処理がなされた段ボール製であって、長方形状部分１ａと、その長方形状部分１ａの各辺から連続して外方に延びる４個の長方形部分１ｂと、各長方形部分１ｂの一方の短辺から連続して外方に延びる糊代１１からなる。
【０１１０】
長方形状部分１ａの外周部には、オガラ貫通孔３が形成されており、その内部には、造花貫通孔５が形成されている。
【０１１１】
糊代１１には、両面粘着テープが貼付されていてもよい。この場合には、両面粘着テープの糊代側とは反対の粘着面上に被覆部材が貼付される。この被覆部材は、折りたたみ式台座５００の使用時に剥離される。それにより、粘着面が露出され、この粘着面によって隣接する長方形部分１ｂ同士が接着される。
【０１１２】
この折りたたみ式台座５００の長方形状部分１ａの各辺を山折りし、糊代１１で隣接する長方形部分１ｂ同士を接着すると、第一の発明の飾り棚に用いられる台座ができる。長方形状部分１ａが上面板に、長方形部分１ｂが側面板になる。
【０１１３】
なお、長方形部分１ｂ同士の接着は、糊代１１に両面粘着テープが貼付されていない場合には、接着剤を塗布すればよいし、また、糊代１１がない態様の場合には、長方形部分１ｂ同士を接着テープ等で接合させればよい。
【０１１４】
オガラ貫通孔３及び造花貫通孔５に関しては、第一の発明に関する説明の個所に記載したとおりである。
【０１１５】
上記第五の発明において、多角形状部分１ａの形状は、図９に示された例にあるような長方形に限定されない。三角形、五角形、六角形等であってもよい。
【０１１６】
また、支持部分１ｂの形状も、図９に示された例にあるような長方形に限定されない。多角形状部分の各辺で山折りにして形成された台座を地面に置くことができる形状であればよい。例えば、切欠き部が形成されており、支持部分の最外部（側面板の下面）の一部のみが地面に接触するような形状であってもよい。
【０１１７】
第五の発明の折りたたみ式台座において、その材料は特に限定されないが、耐水性材料、加工（穿孔等）をし易い材料が好ましい。例えば、防水処理された段ボール、疎水性合成樹脂（プラスチック）板、薄い鉄板や鋼板などが挙げられる。
【０１１８】
なお、多角形状部分や支持部分に、座敷用敷物柄や階段状の図柄が印刷されていてもよい。また、支持部分の一部に切り込みと折目を設け、当該部分において山折りと谷折を交互に行うことによって、階段状部分が形成されるようにしてもよい。
【０１１９】
第六の発明は、造花貫通孔５の代りに花入れ貫通孔が形成されていること以外は、第五の発明と同様である。
【０１２０】
図１０は、第七の発明の一例を示す平面図である。
【０１２１】
組立式台座７００は、プラスチック板製であって、楕円形の上面板部材１ａと、長方形の側面板部材１ｂとを備える。
【０１２２】
上面板部材１ａの外周部には、オガラ貫通孔３が形成されており、その内部には、造花貫通孔５が形成されている。
【０１２３】
側面板部材１ｂの短辺同士を接着剤や接着テープによって接合し、また、側面板部材１ｂの長辺の一方を上面板部材１ａの一方の面の外周部に接着すると、第一の発明の飾り棚で用いられる台座ができる。上面板部材１ａが上面板に、側面板部材１ｂが側面板になる。
【０１２４】
オガラ貫通孔３及び造花貫通孔５に関しては、第一の発明に関する説明の個所に記載したとおりである。
【０１２５】
上記第七の発明において、上面板部材の形状は、特に限定されない。円形、三角形、四角形、五角形、六角形等であってもよい。
【０１２６】
また、側面板部材の形状も、図１０に示された例にあるような長方形に限定されない。組み立てられた台座を地面に置くことができる形状であればよい。例えば、切欠き部が形成されており、側面板部材（側面板）の底部の一部のみが地面に接触するような形状であってもよい。
【０１２７】
第七の発明の組立式台座において、その材料は特に限定されないが、耐水性材料、加工（穿孔等）をし易い材料が好ましい。例えば、防水処理された段ボール、疎水性合成樹脂（プラスチック）板、木板、薄い鉄板や鋼板などが挙げられる。
【０１２８】
第七の発明の組立式台座が、木製で組立後に直方体形状となるものである場合には、例えば、上面板部材に穴又は貫通孔を設け、そこに側面板部材の一部を嵌め込むと共に、側面板部材同士も嵌め込みを行うことによって台座を形成できるように、上面板部材及び側面板部材を調製してもよい。
【０１２９】
第八の発明は、造花貫通孔５の代りに花入れ貫通孔が形成されていること以外は、第七の発明と同様である。
【０１３０】
第一乃至第八の発明で用いられる台座は、当業者に公知の方法で製作される。
【０１３１】
段ボール等の防水処理は、公知の方法、例えば、パラフィンロウ、シリコーン樹脂、油脂、アスファルト等をしみ込ませたり、表面に塗布することによって行うことができる。
【０１３２】
オガラ貫通孔又はオガラ穴の大きさの例は、水平方向断面の直径が７〜１２ｍｍ前後、造花貫通孔又は造花穴の大きさの例は、水平方向断面の直径が５〜７ｍｍ前後、線香台貫通孔、線香台穴又は線香台挿入穴の大きさの例は、水平方向断面が１８ｃｍ×５ｃｍ、台座の大きさの例は、３６ｃｍ×２４ｃｍ×１２ｃｍ、段ボールを使用する場合のその厚さの例は、２ｃｍ前後である。
【図面の簡単な説明】
【０１３３】
【図１−Ａ】本発明の飾り棚の一例を示す平面図である。
【図１−Ｂ】図１-Ａのｘ−ｘ線における断面図である。
【図１−Ｃ】図１-Ａの飾り棚に付属品を飾り付けた状態を示す正面図である。
【図２−Ａ】本発明の飾り棚の他の一例を示す平面図である。
【図２−Ｂ】図２-Ａのｙ−ｙ線における断面図である。
【図２−Ｃ】図２-Ａの飾り棚に付属品を飾り付けた状態を示す正面図である。
【図３−Ａ】本発明の飾り棚のさらに他の一例を例を示す平面図である。
【図３−Ｂ】図３-Ａのｚ−ｚ線における断面図である。
【図４】本発明において使用可能なロウソク立ての一例を示す斜視図である。
【図５−Ａ】本発明において使用可能なロウソク立ての使用前の状態を示す平面図である。
【図５−Ｂ】図５-Ａに示したロウソク立ての使用時の状態を示す斜視図である。
【図６−Ａ】本発明の飾り棚のさらに他の一例を示す平面図である。
【図６−Ｂ】図６-Ａのｘ−ｘ線における断面図である。
【図６−Ｃ】図６-Ａの飾り棚に付属品を飾り付けた状態を示す正面図である。
【図７−Ａ】本発明の飾り棚のさらに他の一例を例を示す平面図である。
【図７−Ｂ】図７-Ａのｙ−ｙ線における断面図である。
【図８−Ａ】本発明の飾り棚のさらに他の一例を例を示す平面図である。
【図８−Ｂ】図８-Ａのｚ−ｚ線における断面図である。
【図９】本発明の折りたたみ式台座の一例を例を示す平面図である。
【図１０】本発明の組立式台座の一例を示す平面図である。
【符号の説明】
【０１３４】
１  台座
２  中実の台座
３  オガラ貫通孔
４  オガラ穴
５  造花貫通孔
６  造花穴
７  線香台貫通孔
８  線香台穴
９  線香台挿入穴
１１  糊代
１３  オガラ
１５  造花
１６  線香
１７、１８、１９  線香台
２１  ロウソク立て貫通孔
２２  ロウソク立て穴
２７  軽石灰
３１、３３  ロウソク立て
３４  ロウソク
３５  花入れ貫通孔
３６  花入れ挿入穴
３７  座敷用敷物柄
３８  座敷用敷物
３９  階段の図柄
４５  花入れ
１１０、１２０、１３０、２００、３００、４００  飾り棚
５００  折りたたみ式台座
７００  組立式台座
【図１−Ａ】
2005103038.tif 000003
【図１−Ｂ】
2005103038.tif 000004
【図１−Ｃ】
2005103038.tif 000005
【図２−Ａ】
2005103038.tif 000006
【図２−Ｂ】
2005103038.tif 000007
【図２−Ｃ】
2005103038.tif 000008
【図３−Ａ】
2005103038.tif 000009
【図３−Ｂ】
2005103038.tif 000010
【図４】
2005103038.tif 000011
【図５−Ａ】
2005103038.tif 000012
【図５−Ｂ】
2005103038.tif 000013
【図６−Ａ】
2005103038.tif 000014
【図６−Ｂ】
2005103038.tif 000015
【図６−Ｃ】
2005103038.tif 000016
【図７−Ａ】
2005103038.tif 000017
【図７−Ｂ】
2005103038.tif 000018
【図８−Ａ】
2005103038.tif 000019
【図８−Ｂ】
2005103038.tif 000020
【図９】
2005103038.tif 000021
【図１０】
2005103038.tif 000022
【手続補正書】
【提出日】平成15年12月24日(2003.12.24)
【手続補正１】
【補正対象書類名】特許請求の範囲
【補正対象項目名】全文
【補正方法】変更
【補正の内容】
【特許請求の範囲】
【請求項１】
オガラと造花を飾るための盆行事用飾り棚であって、形状保持性を示す厚さを有する上面板と、上面板に接触してその下方に位置し、上面板を支持する側面板とを備え、上面板の水平方向外周部であって側面板に接触していない部分には、その水平方向断面の形状及び大きさがオガラの水平方向断面の形状及び大きさと略同一であるオガラ貫通孔を有し、且つ、上面板の水平方向内部には、その水平方向断面の形状及び大きさが造花の茎部の水平方向断面の形状及び大きさと略同一である造花貫通孔と、その水平方向断面の形状及び大きさが、底面部、側面部及び側面部の上端外周に位置する鍔部を有する線香台の側面部の水平方向断面における形状及び大きさと略同一である線香台貫通孔とを有する台座を備え、その線香台貫通孔には前記線香台が挿嵌されていることを特徴とする盆行事用飾り棚。
【請求項２】
台座が、その上面板の水平方向内部に、さらに、その水平方向断面の形状及び大きさが、底面部、側面部及び側面部の上端外周に位置する鍔部を有する円筒状ロウソク立ての側面部の水平方向断面における形状及び大きさと略同一であるロウソク立て貫通孔を有し、そのロウソク立て貫通孔には前記円筒状ロウソク立てが挿嵌されている、請求項１に記載の盆行事用飾り棚。
【請求項３】
台座の上面板の水平方向内部において、底面部と底面部の中央部に立設されたロウソク差込み部とを有するロウソク立ての底面部裏側が、上面板の上面上に貼付されている、請求項１に記載の盆行事用飾り棚。
【請求項４】
オガラと造花を飾るための盆行事用飾り棚であって、水平な底面部を有する中実の台座を備え、台座の水平方向外周部には、台座の上方に向って開口する、その水平方向断面の形状及び大きさがオガラの水平方向断面の形状及び大きさと略同一であり且つ挿入されたオガラをほぼ直立状態に保持できるオガラ穴を有し、且つ、台座の水平方向内部には、台座の上方に向って開口する、その水平方向断面の形状及び大きさが造花の茎部の水平方向断面の形状及び大きさと略同一であり且つ挿入された造花をほぼ直立状態に保持できる造花穴と、軽石灰充填用であり、その軽石灰に線香を立てることができる線香台穴とを有することを特徴とする盆行事用飾り棚。
【請求項５】
台座が、その水平方向内部に、さらに、台座の上方に向って開口する円筒状のロウソク立て穴を有する、請求項４に記載の盆行事用飾り棚。
【請求項６】
台座の水平方向内部において、底面部と底面部の中央部に立設されたロウソク差込み部とを有するロウソク立ての底面部裏側が台座上に貼付されている、請求項４に記載の盆行事用飾り棚。
【請求項７】
オガラと花を飾るための盆行事用飾り棚であって、形状保持性を示す厚さを有する上面板と、上面板に接触してその下方に位置し、上面板を支持する側面板とを備え、上面板の水平方向外周部であって側面板に接触していない部分には、その水平方向断面の形状及び大きさがオガラの水平方向断面の形状及び大きさと略同一であるオガラ貫通孔を有し、且つ、上面板の水平方向内部には、その水平断面の形状及び大きさが、底面部及び側面部を有する花入れの花入れ貫通孔に挿入される部分の水平断面における形状及び大きさと略同一である花入れ貫通孔と、その水平方向断面の形状及び大きさが、底面部、側面部及び側面部の上端外周に位置する鍔部を有する線香台の側面部の水平方向断面における形状及び大きさと略同一である線香台貫通孔とを有する台座を備え、その花入れ貫通孔には前記花入れが、また、その線香台貫通孔には前記線香台が挿嵌されていることを特徴とする盆行事用飾り棚。
【請求項８】
台座が、その上面板の水平方向内部に、さらに、その水平方向断面の形状及び大きさが、底面部、側面部及び側面部の上端外周に位置する鍔部を有する円筒状ロウソク立ての側面部の水平方向断面における形状及び大きさと略同一であるロウソク立て貫通孔を有し、そのロウソク立て貫通孔には前記円筒状ロウソク立てが挿嵌されている、請求項７に記載の盆行事用飾り棚。
【請求項９】
台座の上面板の水平方向内部において、底面部と底面部の中央部に立設されたロウソク差込み部とを有するロウソク立ての底面部裏側が、上面板の上面上に貼付されている、請求項７に記載の盆行事用飾り棚。
【請求項１０】
オガラと花を飾るための盆行事用飾り棚であって、水平な底面部を有する中実の台座を備え、この台座は、その水平方向外周部に、台座の上方に向って開口する、その水平方向断面の形状及び大きさがオガラの水平方向断面の形状及び大きさと略同一であり且つ挿入されたオガラをほぼ直立状態に保持できるオガラ穴を有し、且つ、その水平方向内部に、台座の上方に向って開口する、その水平断面における形状及び大きさが底面部及び側面部を有する花入れの花入れ挿入穴に挿入される部分の水平断面における形状及び大きさと略同一である花入れ挿入穴と、その水平断面における形状及び大きさが底面部及び側面部を有する線香台の線香台挿入穴に挿入される部分の水平断面における形状及び大きさと略同一である線香台挿入穴とを有するものであり、その花入れ挿入穴には前記花入れが、また、その線香台挿入穴には前記線香台が挿嵌されていることを特徴とする盆行事用飾り棚。
【請求項１１】
台座が、その水平方向内部に、さらに、台座の上方に向って開口する、その形状及び大きさが底面部及び側面部を有する円筒状ロウソク立ての形状及び大きさと略同一であるロウソク立て挿入穴を有し、且つ、ロウソク立て挿入穴には前記円筒状ロウソク立てが挿嵌されている、請求項１０に記載の盆行事用飾り棚。
【請求項１２】
台座の水平方向内部において、底面部と底面部の中央部に立設されたロウソク差込み部とを有するロウソク立ての底面部裏側が台座上に貼付されている、請求項１０に記載の盆行事用飾り棚。
【請求項１３】
オガラと造花を飾るための盆行事用折りたたみ式台座であって、形状保持性を示す厚さを有し、多角形状部分と多角形状部分の各辺から連続して多角形状部分の外方に延び且つ多角形状部分の各辺に平行な末端を有する支持部分とを備え、多角形状部分の外周部には、その水平方向断面の形状及び大きさがオガラの水平方向断面の形状及び大きさと略同一であるオガラ貫通孔を有し、且つ、多角形状部分の内部には、その水平方向断面の形状及び大きさが造花の茎部の水平方向断面の形状及び大きさと略同一である造花貫通孔と、その水平方向断面の形状及び大きさが、底面部、側面部及び側面部の上端外周に位置する鍔部を有する線香台の側面部の水平方向断面における形状及び大きさと略同一である線香台貫通孔とを有し、その線香台貫通孔には前記線香台が挿嵌されていることを特徴とする盆行事用折りたたみ式台座。
【請求項１４】
オガラと花を飾るための盆行事用折りたたみ式台座であって、形状保持性を示す厚さを有し、多角形状部分と多角形状部分の各辺から連続して多角形状部分の外方に延び且つ多角形状部分の各辺に平行な末端を有する支持部分とを備え、多角形状部分の外周部には、その水平方向断面の形状及び大きさがオガラの水平方向断面の形状及び大きさと略同一であるオガラ貫通孔を有し、且つ、多角形状部分の内部には、その水平断面の形状及び大きさが、底面部及び側面部を有する花入れの花入れ貫通孔に挿入される部分の水平断面における形状及び大きさと略同一である花入れ貫通孔と、その水平方向断面の形状及び大きさが、底面部、側面部及び側面部の上端外周に位置する鍔部を有する線香台の側面部の水平方向断面における形状及び大きさと略同一である線香台貫通孔とを有し、その線香台貫通孔には前記線香台が挿嵌されていることを特徴とする盆行事用折りたたみ式台座。
【請求項１５】
請求項３に記載の盆行事用飾り棚と、その飾り棚のオガラ貫通孔に立設されたオガラと造花貫通孔に立設された造花とを含む盆行事用飾り棚セット。
【手続補正２】
【補正対象書類名】明細書
【補正対象項目名】０１０６
【補正方法】変更
【補正の内容】
【０１０６】
円筒状ロウソク立て、底面部と底面部の中央部に立設されたロウソク差込み部とを有するロウソク立てについては、先に説明したとおりである。ロウソク立て挿入穴の形状及び大きさは、円筒状ロウソク立ての形状及び大きさと略同一である。